(57)【要約】【課題】座った後に腰を押上げる機能を有し、且つ一般の椅子として使用することもでき、なお、使用者の要求通りに腰押上の困難度を調整することが可能である。【解決手段】コ字形の前枠と、コ字形の後ろ枠とを含む腰押上用ヘルス器材において、前記後ろ枠は、その自由端の適当な箇所では一つの枢着台がそれぞれ設けてあり、前記枢着台の自由端が固定され、且つ後ろ枠に設けた貫通孔にピンを挿入することにより前記枢着台が後ろ枠に固定され、且つ一つの制限バンドにより前枠と後ろ枠が連接にてあり、後ろ枠の内側の枢着台では一つの背凭れ枠が枢着し設けてあり、なお、前記背凭れ枠の下縁には一つの座り枠が設けてあり、前記座り枠の枢着箇所の下縁の適当な箇所では一つのフレームが凸設してあり、前記フレームの適当な箇所では、制限バンドに係合するための複数の弾性ロープと一つの非弾性ロープとが設けてある。【選択図】図１
0003111756.tif 000002
【実用新案登録請求の範囲】
【請求項１】
コ字形の前枠と、コ字形の後ろ枠とを含む腰押上用ヘルス器材において、前記後ろ枠は、その自由端の適当な箇所では一つの枢着台がそれぞれ設けてあり、前記枢着台の自由端が前枠に固定され、且つ後ろ枠に設けた貫通孔にピンを挿入することにより前記枢着台が後ろ枠に固定され、且つ一つの制限バンドにより前枠と後ろ枠が連接してあり、後ろ枠の内側の枢着台では一つの背凭れ枠が枢着し設けてあり、なお、前記背凭れ枠の下縁には一つの座り枠が設けてあり、前記座り枠の枢着箇所の下縁の適当な箇所では一つのフレームが凸設してあり、前記フレームの適当な箇所では、制限バンドに係合するための複数の弾性ロープと一つの非弾性ロープとが設けてあり、また、前記座り枠と前枠とを互いに枢着するための枢着ロッドが前記座り枠と前枠の間に設けてあることを特徴とする、腰押上用ヘルス器材。
【請求項２】
前記後ろ枠の自由端の端縁には複数の貫通孔が環設してあり、且つ前記後ろ枠の内部には一つの握りが挿入し設けてあり、前記握りの内部には凸部が一側に設けられた弾性片が設けてあり、且つ前記凸部は握りに開設された貫通孔から外部に突出することを特徴とする、請求項１に記載の腰押上用ヘルス器材。
【請求項３】
前記制限バンドには、弾性ロープを係合するための定位バンドが設けてあり、且つ非弾性ロープを係合するための係りバンドが設けてあることを特徴とする、請求項1に記載の腰押上用ヘルス器材。
【考案の詳細な説明】
【技術分野】
【０００１】
本考案は腰押上用ヘルス器材に係り、特に座った後に腰を押上げる機能を有し、且つ一般の椅子として使用することもでき、なお、使用者の要求通りに腰押上の困難度を調整することが可能な腰押上用ヘルス器材に関するものである。
【背景技術】
【０００２】
生活レベルが向上する一方であるので、国民は生活の便利性を重視し始めており、なお、一部分の国民は仕事をやる時間が長いので、室外に運動をする時間がなく、だから、適当な運動をやりたくてアウトドアで運動をする時間がない国民にとって、インドアで運動することが止む得ない選択である。
【考案の開示】
【考案が解決しようとする課題】
【０００３】
しかしながら、インドアで運動するときに、腰部の運動をしようとする際には、その運動効果が少なく、使用者の要求に満足することができなかった。
【課題を解決するための手段】
【０００４】
上記欠点を解決するためになされた本願の考案は、コ字形の前枠と、コ字形の後ろ枠とを含む腰押上用ヘルス器材において、前記後ろ枠は、その自由端の適当な箇所では一つの枢着台がそれぞれ設けてあり、前記枢着台の自由端が前枠に固定され、且つ後ろ枠に設けた貫通孔にピンを挿入することにより前記枢着台が後ろ枠に固定され、且つ一つの制限バンドにより前枠と後ろ枠が連接してあり、後ろ枠の内側の枢着台では一つの背凭れ枠が枢着し設けてあり、なお、前記背凭れ枠の下縁には一つの座り枠が設けてあり、前記座り枠の枢着箇所の下縁の適当な箇所では一つのフレームが凸設してあり、前記フレームの適当な箇所では、制限バンドに係合するための複数の弾性ロープと一つの非弾性ロープとが設けてあり、また、前記座り枠と前枠とを互いに枢着するための枢着ロッドが前記座り枠と前枠の間に設けてあることを特徴とする腰押上用ヘルス器材であることを要旨としている。
【０００５】
本願の考案では、前記後ろ枠の自由端の端縁には複数の貫通孔が環設してあり、且つ前記後ろ枠の内部には一つの握りが挿入し設けてあり、前記握りの内部には凸部が一側に設けられた弾性片が設けてあり、且つ前記凸部は握りに開設された貫通孔から外部に突出することを特徴とする請求項1に記載の腰押上用ヘルス器材であることを要旨としている。
【０００６】
本願の考案では、前記制限バンドには、弾性ロープを係合するための定位バンドが設けてあり、且つ非弾性ロープを係合するための係りバンドが設けてあることを特徴とする請求項1に記載の腰押上用ヘルス器材であることを要旨としている。
【考案の効果】
【０００７】
本考案に係る腰押上用ヘルス器材によれば、座った後に腰を押上げる機能を有し、且つ一般の椅子として使用することもでき、なお、使用者の要求通りに腰押上の困難度を調整することが可能であり、運動効果を達成することができる。
【考案を実施するための最良の形態】
【０００８】
以下、添付図面を参照して本考案の好適な実施の形態を詳細に説明する。
【０００９】
まず、図1乃至図3を参照する。本考案に係る腰押上用ヘルス器材は、コ字形の前枠11と、コ字形の後ろ枠12とを含み、前記後ろ枠12は、その自由端の適当な箇所では一つの枢着台13がそれぞれ設けてあり、前記枢着台13の自由端が前枠11に固定され、また、図6乃至図8に示すように、後ろ枠12に設けた貫通孔121にピン131を挿入することにより前記枢着台13が後ろ枠12に固定され、且つ一つの制限バンド14により前枠11と後ろ枠12が連接してあり、後ろ枠12の内側の枢着台13では一つの背凭れ枠15が枢着し設けてあり、なお、前記背凭れ枠15の下縁には一つの座り枠16が設け亡あり、前記座り枠16の枢着箇所の下縁の適当な箇所では一つのフレーム17が凸設してあり、前記フレーム17の適当な箇所では、制限バンド14に係合するための複数の弾性ロープ171と一つの非弾性ロープ172とが設けてあり、また、前記制限バンド14には、弾性ロープ171を係合するための定位バンド141が設けてあり、且つ非弾性ロープ172を係合するための係りバンド142が設けてあり、また、前記座り枠16と前枠11とを互いに枢着するための枢着ロッド18が前記座り枠16と前枠11の間に設けてあり、また、前記後ろ枠12の自由端の端縁には複数の貫通孔122が環設してあり、且つ前記後ろ枠12の内部には一つの握り19が挿入し設けてあり、前記握り19の内部には凸部20が一側に設けられた弾性片が設けてあり、且つ前記凸部20は握り19に開設された貫通孔122から外部に突出する。
【００１０】
また、本考案の使用方法は、図2と図3に示すように、背凭れ枠15が後ろ枠12に枢着され、また、背凭れ枠15が座り枠16に枢着され、且つ座り枠16と前枠11の間には枢着ロッド18が設けてあるので、背凭れ枠15は、枢着部を中心として後ろへ一定角度に旋回でき、且つ座り枠16を連動し、これにより、腰を押上げる効果が達成され、また、枢着箇所でのフレーム17にある弾性ロープ171が定位バンド141に係合するので、腰を押上げるときに抵抗が増加することにより、運動効果が向上し、且つ腰を押上げた後に弾性ロープ171は部材を元位置に回復する機能を有し、また、図4に示すように、弾性ロープ171と非弾性ロープ172とを使用しなく腰押上げ運動をするときには、後ろへ運動するときに弾性ロープ171による抵抗がないので、腰押上げ運動の前後動の困難度が増加し、また、図5に示すように、係りバンド142に非弾性ロープ172だけを係合するときに、前記腰押上用ヘルス器材10は一般の椅子として使用することができ、腰押上用ヘルス器材10の使用の便利性が向上になり、また、図6と図7に示すように、腰押上用ヘルス器材10は使用しないときに折畳んで収納することができ、あれは、まず、ピン131を引き出することにより、後ろ枠12に枢着される枢着台13が旋回可能になり、なお、前枠11を後ろ枠12に旋回して寄り、これにより、背凭れ枠15と座り枠16とも折畳んだようになり、このとき、図8に示すように、ピン131を枢着台13に挿入することにより、腰押上用ヘルス器材10の折畳んだ状態が固定され、且つ握り19にある貫通孔122から突出した凸部20を押下げると、握り19が旋回可能になり、且つ凸部20を他の貫通孔122に係合すると、腰押上用ヘルス器材10が完全に折畳んだ状態になり、収納スペースを節約することができる。
【図面の簡単な説明】
【００１１】
【図１】本考案の斜視図である。
【図２】本考案によって腰を押上げる際の作動を示す概略図である。
【図３】本考案によって腰を押上げた後の回復作動を示す概略図である。
【図４】本考案の弾性無し状態で腰を押上げる際の作動を示す概略図である。
【図５】本考案に係る非弾性ロープを係りバンドに係ることにより本考案を一般の椅子として使用することを示す概略図である。
【図６】本考案に係る枢着台の拡大図である。
【図７】本考案を折畳むときの作動を示す概略図である。
【図８】本考案に係る握りを折畳むときの作動を示す概路図である。
【符号の説明】
【００１２】
10  腰押上用ヘルス器材
12  後ろ枠
122  貫通孔
131  ピン
142  係りバンド
15  背凭れ枠
17  フレーム
172  非弾性回一プ
19  握り
11  前枠
121  貫通孔
13  枢着台
14  制限バンド
141  定位バンド
16  座り枠
171  弾性ロープ
18  枢着ロッド
20  凸部
【図１】
0003111756.tif 000003
【図２】
0003111756.tif 000004
【図３】
0003111756.tif 000005
【図４】
0003111756.tif 000006
【図５】
0003111756.tif 000007
【図６】
0003111756.tif 000008
【図７】
0003111756.tif 000009
【図８】
0003111756.tif 000010